(57)【特許請求の範囲】
【請求項１】
表示パネルと、この表示パネルの表示面側に配置された光学フィルタと、を有し、前記光学フィルタは、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下であり、前記第１の波長領域と前記第２の波長領域との間の第４の波長領域、及び前記第２の波長領域と前記第３の波長領域との間の第５の波長領域には、夫々その一部に、前記透過率の最大値の８０％を超える透過率を有する波長領域が存在し、前記透過率の最大値は、前記第１乃至第３の波長領域以外の波長領域に存在することを特徴とする表示装置。
【請求項２】
前記光学フィルタが、ネオンの発光の少なくとも一部、近紫外線の少なくとも一部及び近赤外線の少なくとも一部を吸収するものであることを特徴とする請求項１に記載の表示装置。
【請求項３】
前記表示パネルがプラズマディスプレイパネルであることを特徴とする請求項１又は２に記載の表示装置。
【請求項４】
プラズマディスプレイパネルと、このプラズマディスプレイパネルの表示面側に配置された光学フィルタと、を有し、前記光学フィルタは、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下であり、前記第１の波長領域と前記第２の波長領域との間の第４の波長領域、及び前記第２の波長領域と前記第３の波長領域との間の第５の波長領域には、夫々その一部に、前記透過率の最大値の８０％を超える透過率を有する波長領域が存在し、前記透過率の最大値は、前記第１乃至第３の波長領域以外の波長領域に存在することを特徴とするプラズマ表示装置。
【請求項５】
前記光学フィルタが、ネオンの発光の少なくとも一部、近紫外線の少なくとも一部及び近赤外線の少なくとも一部を吸収するものであることを特徴とする請求項４に記載のプラズマ表示装置。
【請求項６】
表示装置用の光学フィルタにおいて、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下であり、前記第１の波長領域と前記第２の波長領域との間の第４の波長領域、及び前記第２の波長領域と前記第３の波長領域との間の第５の波長領域には、夫々その一部に、前記透過率の最大値の８０％を超える透過率を有する波長領域が存在し、前記透過率の最大値は、前記第１乃至第３の波長領域以外の波長領域に存在することを特徴とする光学フィルタ。
【請求項７】
ネオンの発光の少なくとも一部、近紫外線の少なくとも一部及び近赤外線の少なくとも一部を吸収することを特徴とする請求項６に記載の光学フィルタ。
【請求項８】
プラズマ表示装置に組み込まれるものであることを特徴とする請求項６又は７に記載の光学フィルタ。
【発明の詳細な説明】
【技術分野】
【０００１】
本発明は、テレビジョン受像機及びコンピュータのディスプレイ等の情報表示に使用される表示装置、特にプラズマ表示装置、及びこの表示装置に組み込まれる表示装置用の光学フィルタに関する。
【背景技術】
【０００２】
通常、表示装置には、明るい場所におけるコントラスト（明所コントラスト）を向上させるために、光の透過率を所定の値に調整した光学フィルタが組み込まれている。図６は光学フィルタの作用を示す図である。図６に示すように、表示装置においては、表示パネル１０の前面側、即ち、表示面側に、光学フィルタ１１が設けられている。そして、表示パネル１０から出射した光１２は、光学フィルタ１１を透過して、表示装置の外部に対して出力される。一方、表示装置の外部の環境から光学フィルタ１１に入射した外光１３は、その一部が光学フィルタ１１の前面で反射されて反射光１４となり、他の一部は光学フィルタ１１を透過して、表示パネル１０の前面で反射され、再び光学フィルタ１１を透過して反射光１５となる。
【０００３】
この結果、表示パネル１０からの発光１２に反射光１４及び１５が混合されて、表示装置の明所コントラストが低下する。実際には、光学フィルタ１１の前面で反射される反射光１４は、表示パネル１０の前面で反射される反射光１５に比べて極めて弱いため、表示装置の明所コントラストは光学フィルタ１１の透過率に大きく影響される。光学フィルタ１１の透過率をｔとすると、表示パネル１０からの発光１２の強度は、光学フィルタ１１を透過することによりｔ倍となるのに対して、反射光１５の強度は、光学フィルタ１１を２回透過することにより、外光１３の強度のｔ２倍となる。従って、反射光１４を無視すれば、（表示パネルからの発光強度／外光の反射光強度）の値で定義される明所コントラストは、（ｔ／ｔ２）＝（１／ｔ）倍となる。例えば、光学フィルタ１１の透過率ｔが６０％である場合は、明所コントラストは（１／ｔ）＝（１／０．６）≒１．７倍となる。このように、表示パネル１０の前面側に光学フィルタ１１を設けることにより、明所コントラストが向上する。
【０００４】
一方、近時、大画面化が可能で且つ薄型の表示パネルとして注目を集めているプラズマディスプレイパネル（Plasma Display Panel：以下、ＰＤＰという）においては、２枚の透明基板が相互に平行に設けられており、この２枚の透明基板内に複数の表示セルが設けられており、表示セル内にヘリウム、ネオン、キセノン等の希ガスが封入されている。そして、この希ガスを放電させることによって紫外線を発生させ、この紫外線が蛍光体を励起して発光させることにより、表示を行っている。しかし、ネオンの放電発光波長は可視光領域（赤橙色領域）に存在するため、ネオンの発光がプラズマディスプレイの色再現性を悪化させるという問題がある。
【０００５】
図７は、横軸に光の波長をとり、縦軸に光の透過率をとって、従来の光学フィルタのスペクトルの一例を示すグラフ図である。図７において、スペクトル２１は従来の光学フィルタのスペクトルを示す。図７に示すように、この光学フィルタにおける光の透過率は最大でも６５％程度に抑えられている。これにより、この光学フィルタを表示装置に組み込めば、表示装置の明所コントラストが改善する。また、この光学フィルタのスペクトルにおいては、領域２１ａ、２１ｂ及び２１ｃのように透過率が他の領域よりも低い領域がある。領域２１ａはネオンの放電発光領域であり、領域２１ｂは近赤外領域であり、領域２１ｃは近紫外領域である。領域２１ａの透過率を低くすることにより、ネオンの発光を吸収し、画像表示の色再現性を向上させることができる。また、領域２１ｂ及び２１ｃの透過率を低くすることにより、余分な光を吸収することができる。このように、透過率が低い波長領域を選択的に設けることによって、表示装置の色味を光学フィルタによって調整することもできる。
【０００６】
特許文献１（特開２０００−１０５５４１号公報）には、表示装置のコントラスト及び色再現性を向上させることを目的として、波長４５０ｎｍの光線透過率が波長５２５ｎｍの光線透過率よりも大きく、波長５２５ｎｍの光線透過率が波長６３０ｎｍの光線透過率よりも大きい光学フィルタが開示されている。また、この光学フィルタにおいて、波長５８０ｎｍの光線透過率を６０％以下とすることも開示されている。また、特許文献２（特開２００３−１５７０１７号公報）には、表示装置の明所コントラストを向上させることを目的として、４９０ｎｍ付近（青と緑の間の領域）に吸収帯を持ち、４９０ｎｍでの透過率がＰＤＰの白色光の透過率よりも低い光学フィルタが開示されている。
【０００７】
【特許文献１】特開２０００−１０５５４１号公報（第３−６頁）
【特許文献２】特開２００３−１５７０１７号公報（第３−５頁、図４）
【発明の開示】
【発明が解決しようとする課題】
【０００８】
しかしながら、上述の従来の技術には、以下に示すような問題点がある。従来の光学フィルタにおいては、表示装置の輝度を高く保つために、表示装置の発光波長領域の透過率が、それ以外の波長領域の透過率よりも高く設定されている。しかし、現在、表示装置が置かれる環境としては室内が多く、室内の照明には蛍光灯を使用することが多いため、環境光が蛍光灯の光である場合が多い。このため、明所コントラストを低下させる最も大きな要因は、蛍光灯光の反射光である。しかし、蛍光灯の発光スペクトルは、表示装置の発光波長と同じ領域に強い強度を持っていることが多く、上述の従来の光学フィルタでは、蛍光灯に起因する反射光の強度を十分に弱めることができない。
【０００９】
本発明はかかる問題点に鑑みてなされたものであって、明所コントラストを改善することができる表示装置用の光学フィルタ、及びこの光学フィルタが組み込まれた表示装置、特にプラズマ表示装置を提供することを目的とする。
【課題を解決するための手段】
【００１０】
本発明に係る表示装置は、表示パネルと、この表示パネルの表示面側に配置された光学フィルタと、を有し、前記光学フィルタは、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下であり、前記第１の波長領域と前記第２の波長領域との間の第４の波長領域、及び前記第２の波長領域と前記第３の波長領域との間の第５の波長領域には、夫々その一部に、前記透過率の最大値の８０％を超える透過率を有する波長領域が存在し、前記透過率の最大値は、前記第１乃至第３の波長領域以外の波長領域に存在することを特徴とする。
【００１１】
本発明においては、三波長型蛍光灯から発した光が光学フィルタを透過し、表示パネルによって反射され、再び光学フィルタを透過する過程において、この光の強度を効果的に弱めることができ、表示装置の明所コントラストを向上させることができる。
【００１６】
更に、前記光学フィルタが、ネオンの発光の少なくとも一部、近紫外線の少なくとも一部及び近赤外線の少なくとも一部を吸収するものであることが好ましい。これにより、光学フィルタが余分な光を吸収し、表示装置の表示品質を向上させることができる。前記表示パネルは、例えばプラズマディスプレイパネルである。
【００１７】
本発明に係るプラズマ表示装置は、プラズマディスプレイパネルと、このプラズマディスプレイパネルの表示面側に配置された光学フィルタと、を有し、前記光学フィルタは、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下であり、前記第１の波長領域と前記第２の波長領域との間の第４の波長領域、及び前記第２の波長領域と前記第３の波長領域との間の第５の波長領域には、夫々その一部に、前記透過率の最大値の８０％を超える透過率を有する波長領域が存在し、前記透過率の最大値は、前記第１乃至第３の波長領域以外の波長領域に存在することを特徴とする。
【００１８】
本発明に係る光学フィルタは、表示装置用の光学フィルタにおいて、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下であり、前記第１の波長領域と前記第２の波長領域との間の第４の波長領域、及び前記第２の波長領域と前記第３の波長領域との間の第５の波長領域には、夫々その一部に、前記透過率の最大値の８０％を超える透過率を有する波長領域が存在し、前記透過率の最大値は、前記第１乃至第３の波長領域以外の波長領域に存在することを特徴とする。
【発明の効果】
【００１９】
本発明によれば、波長が４３０乃至４４５ｎｍの第１の波長領域、波長が５３５乃至５６０ｎｍの第２の波長領域、及び波長が６０５乃至６３０ｎｍの第３の波長領域の全ての波長領域における光の透過率が、可視光の全波長領域における透過率の最大値の８０％以下である光学フィルタを設けることにより、表示装置の明所コントラストを向上させることができる。
【発明を実施するための最良の形態】
【００２０】
以下、本発明の実施形態について添付の図面を参照して具体的に説明する。先ず、本発明の第１の実施形態について説明する。図１は本実施形態に係るプラズマ表示装置を示す模式的断面図であり、図２は、横軸に光の波長をとり、縦軸に光の透過率及び強度をとって、本実施形態における光学フィルタのスペクトル並びに蛍光灯及びＰＤＰの発光スペクトルを示すグラフ図であり、図３は図１に示すＰＤＰの１つの表示セルを示す分解斜視図であり、図４は図１に示す駆動回路を示すブロック図である。本実施形態に係る表示装置は、例えばテレビジョン受像機として使用されるプラズマ表示装置である。
【００２１】
図１に示すように、本実施形態に係るプラズマ表示装置１においては、筐体２が設けられており、筐体２の前面には開口部２ａが形成されている。そして、筐体２の内部には、表示パネルとしてＰＤＰ３が設けられている。ＰＤＰ３は適当な支持部材（図示せず）により、その表示面が筐体２の開口部２ａに対向するように支持されている。また、筐体２には、開口部２ａを覆うように、表示装置用の光学フィルタ４が取り付けられている。これにより、光学フィルタ４は、ＰＤＰ３の前面側、即ち、表示面側に配置されている。更に、ＰＤＰ３の背面側には、ＰＤＰ３に接続されＰＤＰ３を駆動する駆動回路５が設けられている。
【００２２】
図２に示す領域７は波長が４３０乃至４４５ｎｍの波長領域であり、領域８は波長が５３５乃至５６０ｎｍの波長領域であり、領域９は波長が６０５乃至６３０ｎｍの波長領域である。なお、領域７（４３０〜４４５ｎｍ）は青色波長領域内に位置し、領域８（５３５〜５６０ｎｍ）は緑色波長領域内に位置し、領域９（６０５〜６３０ｎｍ）は赤色波長領域内に位置している。また、スペクトル４１はＰＤＰ３（図１参照）の発光スペクトルを示し、スペクトル４２は三波長型蛍光灯の発光スペクトルを示し、スペクトル４３は光学フィルタ４の透過率スペクトルを示す。なお、ＰＤＰ３の発光強度及び三波長型蛍光灯の発光強度の単位は任意単位である。
【００２３】
光学フィルタ４は、ガラス又は透明樹脂等の透明材料により形成された板材中に、特定の波長域の光を吸収する化合物が添加されたものである。例えば、透明樹脂板中に有機化合物が含有されている。
【００２４】
そして、光学フィルタ４の透過率スペクトル４３においては、波長が４３０乃至４４５ｎｍの領域４３ａの透過率、波長が５３５乃至５６０ｎｍの領域４３ｂの透過率、波長が６０５乃至６３０ｎｍの領域４３ｃの透過率が、いずれも可視光の全波長領域（例えば、４００乃至７６０ｎｍ）における透過率の最大値（最大透過率）の８０％以下となっている。即ち、最大透過率は波長が６５３ｎｍであるときの透過率（６０％）であり、領域４３ａ、４３ｂ、４３ｃにおける透過率は、最大透過率の８０％以下になるような透過率、即ち、４８％以下の透過率となっている。なお、透過率を低く設定するために、必ずしも領域４３ａ、４３ｂ、４３ｃに透過率の極小値が存在する必要はない。
【００２５】
領域４３ａ、４３ｂ、４３ｃにおける透過率を可視光領域における最大透過率の８０％以下とすることにより、三波長型蛍光灯の光に起因する反射光を効果的に抑制して、表示装置の明所コントラストを向上させることができる。これに対して、領域４３ａ、４３ｂ、４３ｃにおける透過率が可視光領域における最大透過率の８０％よりも高いと、前記反射光を抑制する効果が不十分となる。なお、明所コントラストをより一層向上させたい場合は、明所コントラストの目標値に応じて、領域４３ａ、４３ｂ、４３ｃにおける透過率の前記最大透過率に対する比率を、８０％以下の所定の値に設定すればよい。
【００２６】
また、光学フィルタ４の透過率スペクトル４３においては、近紫外領域４３ｄ、ネオンの発光領域４３ｅ、及び近赤外領域４３ｆの透過率も、他の領域の透過率よりも低く設定されている。これにより、余分な光の一部、即ち、ネオンの発光の一部、近赤外線の一部及び近紫外線の一部が光学フィルタ４に吸収されるようになっている。
【００２７】
図３に示すように、ＰＤＰ３においては、例えばガラスからなる２枚の絶縁基板１０１及び１０２が設けられている。絶縁基板１０１は背面基板となり、絶縁基板１０２は前面基板となる。絶縁基板１０２における絶縁基板１０１との対向面側には、透明な走査電極１０３及び透明な維持電極１０４が設けられている。走査電極１０３及び維持電極１０４は、パネルの水平方向（横方向）に延びている。また、夫々走査電極１０３及び維持電極１０４に重なるようにトレース電極１０５及び１０６が配置されている。トレース電極１０５及び１０６は、例えば金属製であり、各電極と外部の駆動装置との間の電極抵抗値を小さくするために設けられている。更に、走査電極１０３及び維持電極１０４を覆う誘電体層１１２並びにこの誘電体層１１２を放電から保護する酸化マグネシウム等からなる保護層１１４が設けられている。
【００２８】
絶縁基板１０１における絶縁基板１０２との対向面側には、絶縁基板１０１の表面に垂直な方向から見て、即ち、平面視で、走査電極１０３及び維持電極１０４と直交するデータ電極１０７が設けられている。従って、データ電極１０７は、パネルの垂直方向（縦方向）に延びている。また、データ電極１０７を覆う誘電体層１１３が設けられており、誘電体層１１３上に、水平方向で表示セルを区切る隔壁１０９が設けられている。更に、隔壁１０９の側面及び誘電体層１１３の表面上に放電ガスの放電により発生する紫外線を可視光１１０に変換する蛍光体層１１１が形成されている。そして、絶縁基板１０１及び１０２の空間に隔壁１０９により放電ガス空間１０８が確保され、この放電ガス空間１０８内に、ヘリウム、ネオン若しくはキセノン等又はこれらの混合ガスからなる放電ガスが充填されている。
【００２９】
図４に示すように、ＰＤＰ３においては、行方向（水平方向）に延びるｎ本（ｎは自然数）の走査電極１０３（１０３−１乃至１０３−ｎ）及びｎ本の維持電極１０４（１０４−１乃至１０４−ｎ）が互いに交互に所定間隔で設けられ、これらの走査電極１０３及び維持電極１０４に平面視で直交するように列方向（垂直方向）に延びるｍ本（ｍは自然数）のデータ電極１０７（１０７−１乃至１０７−ｍ）が設けられている。そして、走査電極とデータ電極との最近接点及び維持電極とデータ電極との最近接点を夫々１つずつ含むように、表示セル（放電セル）が行列状に配置されている。従って、ＰＤＰ３には、（ｎ×ｍ）個の表示セルが設けられている。
【００３０】
また、駆動回路５には、駆動用電源１２１、コントローラ２２、スキャンドライバ１２３、走査パルスドライバ１２４、維持ドライバ１２５及びデータドライバ１２６が設けられている。駆動用電源１２１は、コントローラ２２、スキャンドライバ１２３、走査パルスドライバ１２４、維持ドライバ１２５及びデータドライバ１２６の動作に夫々必要な電圧を生成し、これらに出力するものである。コントローラ２２は、外部から供給される映像信号Ｓｖに基づいて、スキャンドライバ制御信号Ｓｓｃｄを生成してスキャンドライバ１２３に対して出力し、走査パルスドライバ制御信号Ｓｓｐｄを生成して走査パルスドライバ１２４に対して出力し、維持ドライバ制御信号Ｓｓｕｄを生成して維持ドライバ１２５に対して出力し、データドライバ制御信号Ｓｄｄを生成してデータドライバ１２６に対して出力するものである。
【００３１】
スキャンドライバ１２３は、コントローラ２２から入力されたスキャンドライバ制御信号Ｓｓｃｄに基づいて、駆動用電源１２１から供給された複数水準の電圧から２水準の電圧を選択して、ポジティブライン１２７及びネガティブライン１２８を介して走査パルスドライバ１２４に供給するものである。走査パルスドライバ１２４は、コントローラ２２から入力された走査パルスドライバ制御信号Ｓｓｐｄに基づいて、スキャンドライバ１２３から供給された電圧を走査電極１０３に印加するものである。維持ドライバ１２５は、コントローラ２２から入力された維持ドライバ制御信号Ｓｓｕｄに基づいて、駆動用電源１２１から供給された複数水準の電圧から１水準の電圧を選択して維持電極１０４に印加するものである。データドライバ１２６は、コントローラ２２から入力されたデータドライバ制御信号Ｓｄｄに基づいて、駆動用電源１２１から供給された複数水準の電圧から１水準の電圧を選択してデータ電極１０７に印加するものである。
【００３２】
次に、上述の如く構成された本実施形態に係るプラズマ表示装置の動作について説明する。本実施形態においては、プラズマ表示装置１は三波長型蛍光灯により照明された室内で動作するものとする。図４に示すように、駆動用電源１２１が、複数水準の電圧を生成し、コントローラ２２、スキャンドライバ１２３、走査パルスドライバ１２４、維持ドライバ１２５及びデータドライバ１２６に対して供給する。そして、コントローラ２２が、外部から供給される映像信号Ｓｖに基づいて、スキャンドライバ制御信号Ｓｓｃｄを生成してスキャンドライバ１２３に対して出力し、走査パルスドライバ制御信号Ｓｓｐｄを生成して走査パルスドライバ１２４に対して出力し、維持ドライバ制御信号Ｓｓｕｄを生成して維持ドライバ１２５に対して出力し、データドライバ制御信号Ｓｄｄを生成してデータドライバ１２６に対して出力する。
【００３３】
これにより、スキャンドライバ１２３が、スキャンドライバ制御信号Ｓｓｃｄに基づいて、駆動用電源１２１から供給された複数水準の電圧から２水準の電圧を選択して、ポジティブライン１２７及びネガティブライン１２８を介して走査パルスドライバ１２４に対して出力する。また、走査パルスドライバ１２４が、走査パルスドライバ制御信号Ｓｓｐｄに基づいて、スキャンドライバ１２３から供給された電圧を走査電極１０３に印加する。更に、維持ドライバ１２５が、維持ドライバ制御信号Ｓｓｕｄに基づいて、駆動用電源１２１から供給された複数水準の電圧から１水準の電圧を選択して維持電極１０４に印加する。更にまた、データドライバ１２６が、データドライバ制御信号Ｓｄｄに基づいて、駆動用電源１２１から供給された複数水準の電圧から１水準の電圧を選択してデータ電極１０７に印加する。
【００３４】
このとき、コントローラ２２は、ＰＤＰ３に１枚の画像を表示させるフィールドを繰返すことにより、動画を表示する。各フィールドにおいては、複数のサブフィールドが順次実施され、１のサブフィールドにおいては、プライミング期間、アドレス期間、維持期間及び電荷消去期間の４つの期間が順次実施される。プライミング期間は、全ての表示セルを発光させて、全ての表示セル内の電荷状態を活性化させると共に電荷状態を揃え、初期化する期間である。アドレス期間は、このアドレス期間に続く維持期間において維持放電を発生させようとする表示セルに書込放電を発生させ、壁電荷を形成する期間である。維持期間は、アドレス期間において壁電荷が形成された表示セルにおいて維持放電を生じさせる期間である。電荷消去期間は、維持期間において発光させた表示セル内の壁電荷を消去する期間である。
【００３５】
図３に示すように、上述の動作により、各表示セルにおいて、走査電極１０３と維持電極１０４との間で放電が発生し、この放電により発生した紫外線が蛍光体層１１１を励起し、これにより、蛍光体層１１１から可視光１１０が出射する。この可視光１１０はＰＤＰ３の保護層１１４、誘電体層１１２及び絶縁基板１０２を透過してＰＤＰ３の前面から出射され、光学フィルタ４（図１参照）を透過して表示装置１の外部に出力される。
【００３６】
このとき、図１に示すように、表示装置１の外部の環境から、外光１１５が表示装置１の開口部２ａに入射する。外光１１５は、主として三波長型蛍光灯（図示せず）から出射された光である。外光１１５の一部は光学フィルタ４を透過し、ＰＤＰ３の前面において反射され、再び光学フィルタ４を透過して反射光１１６となり、可視光１１０と混合して外部に対して出射される。なお、外光１１５のうち光学フィルタ４により反射される光は、反射光１１６と比較して極めて弱いため、無視することができる。従って、視聴者は、画像情報を示す可視光１１０と、外光１１５の反射光である反射光１１６との混合光を視認することになる。
【００３７】
図２に示すように、三波長型蛍光灯の発光スペクトルはスペクトル４２に示すようなものであり、領域７（４３０〜４４５ｎｍ：青色領域）、領域８（５３５〜５６０ｎｍ：緑色領域）、領域９（６０５〜６３０ｎｍ：赤色領域）において鋭いピークを持っている。そして、光学フィルタ４の透過率スペクトル４３は、領域７、８、９における透過率が、可視光の全波長領域における透過率の最大値（最大透過率）の８０％以下と低くなっている。このため、外光１１５は、光学フィルタを２回透過することにより、領域７、８、９における鋭いピークが波長選択的に吸収され、その強度が低下する。この結果、反射光１１６の強度は全波長領域において低いものとなる。
【００３８】
一方、ＰＤＰ３から出射される可視光１１０のスペクトル４１においても、領域７、８、９においてピークが存在するが、可視光１１０は光学フィルタ４を１回しか透過しないため、可視光１１０が光学フィルタ４により減衰される効果は、外光１１５が光学フィルタ４により減衰される効果よりも小さい。このため、プラズマ表示装置１の明所コントラストは、従来のプラズマ表示装置よりも高いものとなる。
【００３９】
このように、本実施形態によれば、光学フィルタ４の透過率スペクトルを上述の如く設定することにより、環境光として利用される蛍光灯からの反射光を効果的に弱めることができ、プラズマ表示装置１の明所コントラストを向上させることができる。また、光学フィルタ４が、ネオンの発光の一部、近赤外線の一部及び近紫外線の一部を吸収することにより、プラズマ表示装置１の表示品質をより一層向上させることができる。
【００４０】
次に、本発明の参考例について説明する。図５は、横軸に光の波長をとり、縦軸に光の透過率及び強度をとって、本参考例における光学フィルタのスペクトル並びに蛍光灯及びＰＤＰの発光スペクトルを示すグラフ図である。本参考例においては、前述の実施形態と比較して、光学フィルタの透過率スペクトル及びＰＤＰの発光スペクトルが異なっている。
【００４１】
図５において、領域７乃至９の位置は図２に示すグラフ図と同じである。即ち、領域７は波長が４３０乃至４４５ｎｍの領域であり、領域８は波長が５３５乃至５６０ｎｍの領域であり、領域９は波長が６０５乃至６３０ｎｍの領域である。そして、スペクトル５３は本参考例における光学フィルタの透過率スペクトルを示す。なお、図２と同様に、スペクトル４１はＰＤＰの発光スペクトルを示し、スペクトル４２は三波長型蛍光灯の発光スペクトルを示す。本参考例の光学フィルタは、ガラス又は透明樹脂等の透明材料中に、特定の波長域の光を吸収する化合物が含有され、板状に成形されたフィルタであり、例えば、透明樹脂板中に有機化合物が含有されたものである。
【００４２】
そして、本参考例の光学フィルタの透過率スペクトル５３においては、波長が５３５乃至５６０ｎｍの領域５３ｂの透過率、及び波長が６０５乃至６３０ｎｍの領域５３ｃの透過率が、可視光の全波長領域（例えば、４００乃至７６０ｎｍ）における透過率の最大値（最大透過率）の８０％以下となっている。即ち、波長が６５３ｎｍであるときの透過率（６０％）に対して、８０％以下になるような透過率、即ち、４８％以下の透過率となっている。なお、波長が４３０乃至４４５ｎｍの領域の透過率は、最大透過率の８０％より高くなっている。また、透過率を低く設定するために、必ずしも領域５３ｂ及び５３ｃに透過率の極小値が存在する必要はない。更に、光学フィルタの発光スペクトル５３においては、近紫外領域５３ｄ、ネオンの発光波長領域５３ｅ、及び近赤外領域５３ｆの透過率も、それ以外の領域と比較して低く設定されており、余分な光が吸収されるようになっている。
【００４３】
また、本参考例においては、緑色波長領域に位置する領域８（５３５〜５６０ｎｍ）、及び赤色波長領域に位置する領域９（６０５〜６３０ｎｍ）における光学フィルタの透過率を最大透過率の８０％以下とし、青色波長領域に位置する領域７（４３０〜４４５ｎｍ）における光学フィルタの透過率を最大透過率の８０％より高い値としているため、ＰＤＰの発光スペクトルを図５のスペクトル４１に示すような通常のＰＤＰの発光スペクトルとしたままでは、光学フィルタを透過した光の白色バランスが崩れることになる。このため、光学フィルタの透過率スペクトルに合わせてＰＤＰの発光スペクトルを調整することにより、プラズマ表示装置の青、緑、赤の輝度比を調整する必要がある。本参考例においては、ＰＤＰにおいて、例えば蛍光体又は駆動方法等の改良により、領域７における発光強度が、領域８及び９における発光強度よりも低くなっている。本参考例における上記以外の構成は、本発明の実施形態と同様である。
【００４４】
本参考例においては、光学フィルタの透過率スペクトルを上述のように設定することにより、プラズマ表示装置の表示画面において、環境光として利用される蛍光灯からの外光に起因する反射光を効果的に弱めることができる。この結果、プラズマ表示装置の明所コントラストを改善することができる。
【００４５】
また、本参考例においては、ＰＤＰの青、緑、赤の発光輝度比、即ち、発光スペクトルが、光学フィルタの透過率スペクトルを補償するように調整されているため、ＰＤＰから出射され光学フィルタを透過した光の白色バランスが正常に保たれている。本参考例における上記以外の動作及び効果は、本発明の第１の実施形態と同様である。
【００４６】
なお、本参考例においては、緑色波長領域（５３５〜５６０ｎｍ）に位置する領域８、及び赤色波長領域（６０５〜６３０ｎｍ）に位置する領域９において、光学フィルタの透過率を低く設定する例を示したが、青色波長領域（４３０〜４４５ｎｍ）に位置する領域７及び緑色波長領域に位置する領域８（５３５〜５６０ｎｍ）における透過率を最大透過率の８０％以下とすると共に、赤色波長領域に位置する領域９（６０５〜６３０ｎｍ）における透過率を最大透過率の８０％よりも高い値とし、ＰＤＰにおいて、領域９における発光強度を領域７及び８における発光強度よりも低くしてもよい。
【００４７】
又は、青色波長領域に位置する領域７（４３０〜４４５ｎｍ）及び赤色波長領域に位置する領域９（６０５〜６３０ｎｍ）における透過率を最大透過率の８０％以下とすると共に、緑色波長領域に位置する領域８（５３５〜５６０ｎｍ）における透過率を最大透過率の８０％よりも高い値とし、ＰＤＰにおいて、領域８における発光強度を領域７及び９における発光強度よりも低くしてもよい。
【００４８】
これに対して、領域７乃至９のうち１つの領域のみにおいて光学フィルタの透過率を最大透過率の８０％以下として反射光を減衰させると、反射光の白色バランスが崩れ、視聴者に違和感を与える可能性がある。従って、領域７乃至９のうち少なくとも２つ以上の領域において透過率を低くすることが必要である。
【００４９】
また、上述の実施形態においては、プラズマ表示装置の筐体に板状の光学フィルタを取り付ける例を示したが、本発明はこれに限定されず、光学フィルタをフィルム状とし、ＰＤＰの前面基板に貼付して使用してもよい。
【００５０】
更に、上述の実施形態においては、表示パネルとしてＰＤＰを使用するプラズマ表示装置について説明したが、本発明はこれに限定されず、液晶表示装置、ＣＲＴ（Cathode-Ray Tube：陰極線管）表示装置、有機ＥＬ表示装置等、蛍光灯により照明された室内で使用される可能性があるあらゆる表示装置に適用することができる。
【産業上の利用可能性】
【００５１】
本発明は、蛍光灯により照明された室内で使用される可能性がある表示装置に好適に利用することができる。
【図面の簡単な説明】
【００５２】
【図１】本発明の実施形態に係るプラズマ表示装置を示す模式的断面図である。
【図２】横軸に光の波長をとり、縦軸に光の透過率及び強度をとって、本実施形態における光学フィルタのスペクトル並びに蛍光灯及びＰＤＰの発光スペクトルを示すグラフ図である。
【図３】図１に示すＰＤＰの１つの表示セルを示す分解斜視図である。
【図４】図１に示す駆動回路を示すブロック図である。
【図５】横軸に光の波長をとり、縦軸に光の透過率及び強度をとって、本発明の参考例における光学フィルタのスペクトル並びに蛍光灯及びＰＤＰの発光スペクトルを示すグラフ図である。
【図６】光学フィルタの作用を示す図である。
【図７】横軸に光の波長をとり、縦軸に光の透過率をとって、従来の光学フィルタのスペクトルの一例を示すグラフ図である。
【符号の説明】
【００５３】
１；プラズマ表示装置
２；筐体
２ａ；開口部
３；ＰＤＰ
４；光学フィルタ
５；駆動回路
７、８、９；領域
１０；表示パネル
１１；光学フィルタ
１２、１３、１４、１５；光
２１；従来の光学フィルタの透過率スペクトル
２１ａ；ネオンの発光領域
２１ｂ；近赤外光領域
２１ｃ；近紫外光領域
４１；ＰＤＰの発光スペクトル
４２；三波長型蛍光灯の発光スペクトル
４３；光学フィルタの透過率スペクトル
４３ａ；領域（青色波長領域）
４３ｂ；領域（緑色波長領域）
４３ｃ；領域（赤色波長領域）
４３ｄ；近紫外領域
４３ｅ；ネオンの発光領域
４３ｆ；近赤外領域
５３；光学フィルタの透過率スペクトル
５３ｂ；領域（緑色波長領域）
５３ｃ；領域（赤色波長領域）
５３ｄ；近紫外領域
５３ｅ；ネオンの発光領域
５３ｆ；近赤外領域
１０１、１０２；絶縁基板
１０３、１０３−１乃至１０３−ｎ；走査電極
１０４、１０４−１乃至１０４−ｎ；維持電極
１０５、１０６；トレース電極
１０７、１０７−１乃至１０７−ｍ；データ電極
１０８；放電ガス空間
１０９；隔壁
１１０；可視光
１１１；蛍光体層
１１２；誘電体層
１１３；誘電体層
１１４；保護層
１１５；外光
１１６；反射光
１２１；駆動用電源
２２；コントローラ
１２３スキャンドライバ
１２４；走査パルスドライバ
１２５；維持ドライバ
１２６；データドライバ
１２７；ポジティブライン
１２８；ネガティブライン
Ｓｄｄ；データドライバ制御信号
Ｓｓｃｄ；スキャンドライバ制御信号
Ｓｓｐｄ；走査パルスドライバ制御信号
Ｓｓｕｄ；維持ドライバ制御信号
Ｓｖ；映像信号
【図１】
0004744098.tif 000002
【図２】
0004744098.tif 000003
【図３】
0004744098.tif 000004
【図４】
0004744098.tif 000005
【図５】
0004744098.tif 000006
【図６】
0004744098.tif 000007
【図７】
0004744098.tif 000008